(57)【要約】【課題】衣服の胸ポケットへの収納状態で、小さい空気抵抗で流入した空気の流れる方向を変えて、空気を流出するポケットファンを提供する。【解決手段】衣服の胸ポケット２に収納可能な筐体３と、筐体部３ａに設けられた空気流出部４と、空気流出部４と隣接する筐体部３ｂに設けられた第１空気流入部５ａと、第１空気流入部５ａ側に設けられ空気７を流入する第２空気流入部５ｂを有するダクト８と、第２空気流入部５ｂから空気７を流入し、第１空気流入部５ａを経由して空気流出部４から空気７を流出するように、電源部１１から電力を供給してモータ１０を回転し羽根車９ｂを回転させる。【選択図】図８
2013011263.tif 000002
【特許請求の範囲】
【請求項１】
衣服の胸ポケットに収納可能な筐体と、前記筐体が有する第１の筐体部に設けられた空気流出部と、前記空気流出部と隣接する第２の筐体部に設けられた第１空気流入部と、前記第２の筐体部の側に設けられ、前記空気流出部と同じ側面または前記空気流出部と異なる側面から空気を流入する第２空気流入部を有するダクトと、主として前記第２空気流入部から空気を流入し前記第１空気流入部を経由して前記空気流出部から空気を流出する羽根車と、前記羽根車を回転させるモータと、前記モータ用の電源部と、を備えることを特徴とするポケットファン。
【請求項２】
前記空気流出部と離れた側の前記第２空気流入部の近傍に、衣服の胸ポケットの端部を係止可能なクリップを設けたことを特徴とする請求項１に記載のポケットファン。
【請求項３】
前記羽根車は、前記第２の筐体部に固定された前記モータで回転する軸流ファンから構成されていることを特徴とする請求項１または請求項２に記載のポケットファン。
【請求項４】
前記羽根車は、前記第２の筐体部の反対側の筐体部に固定された前記モータで回転する遠心ファンまたはシロッコファンから構成されていることを特徴とする請求項１または請求項２に記載のポケットファン。
【請求項５】
前記モータの回転を制御し、回転方向も切り替える第１制御部と、前記第１制御部に切替指令を出力するか、または、単独で前記モータの回転方向を切り替える第１回転方向切替スイッチを、前記筐体が有する１つの筐体部に設けたことを特徴とする請求項１ないし請求項４のいずれかに記載のポケットファン。
【請求項６】
前記ダクトが前記第２の筐体部から離間可能なように、前記第２空気流入部の反対側の前記ダクトと筐体と、を回転自在に支持する回転支持部を設けたことを特徴とする請求項１ないし請求項５のいずれかに記載のポケットファン。
【請求項７】
前記モータが回転中に、前記モータの回転を制御し、回転方向も切り替え、前記モータの回転方向も、所定の時間で切り替える第２制御部と、前記第２制御部に切替指令を出力する第２回転方向切替スイッチと、を設けたことを特徴とする請求項６に記載のポケットファン。
【発明の詳細な説明】
【技術分野】
【０００１】  本発明は携帯用ファン関し、衣服の胸ポケットに挿入して、使用者の顔や首や胸元に送風するポケットファンに関するものである。
【背景技術】
【０００２】  近年、夏の特に都市部が高温になり、冷房された建物から建物や乗り物へ移動する間の暑さ対策が求められている。【０００３】  例えば、本体上面の端部についたネックストラップを首にかけた状態で使用し、本体正面からシロッコファンで空気を吸い込み、上部に送風するマイファンモバイル（商品名）という携帯扇風機が販売されている。【０００４】  また、特開平１１−１８２４８７号公報では、人体面に沿って携帯される本体ケーシングと、本体ケーシングの外周部位置から人体面方向に空気を吹き出す空気吹出部と、本体ケーシングの適宜位置から空気を吸込む空気吸込部と、本体ケーシング内の空気吸込部から空気吹出部に到る送風通路に設けられた送風手段とからなる携帯型人体熱交換装置に係止クリップを設けて、衣服のポケットに係止収納することによって携帯可能とし、空気吹出部から使用者の顔や首や胸元に送風することが出来る。ポケットの布部前面と空気吸込部との間に空気吸込用の隙間を形成するために、本体ケーシングの前面部にはヒサシ状の凸部が設けられている。【０００５】  また、特開２００８−２４０２１４号公報では、衣服の生地の内側に吹出口を配置し、生地の外側に吸込口を配置したファンを備えた通気衣服を、雨天の室外において着用した場合、雨の浸入を防止しながら快適性の向上を図れるように、ファンの吸込口に吸込口を覆い下方に開口したダクトが設けられている。
【先行技術文献】
【０００６】
【特許文献１】特開平１１−１８２４８７号公報
【特許文献２】特開２００８−２４０２１４号公報
【発明の概要】
【発明が解決しようとする課題】
【０００７】  マイファンモバイル（商品名）は首にかけて使用するため、両手は自由に使用出来るが、歩行中は本体が揺れたり、体を斜めにした時に他の物に当てたりする可能性があって使用しにくいため、衣服の胸ポケットに収納すると、ポケットの布部前面の空気抵抗が大きいため、ほとんど空気を吸い込めないという問題がある。【０００８】  特開平１１−１８２４８７号公報の構造では、送風手段が回転すると空気吸込用の隙間が負圧になるため、ポケットのほとんどの布部前面は、ヒサシ状の凸部を除いて空気吸込部に吸い付くため、空気吸込部の空気抵抗が大きくなって、ほとんど空気を吸い込めないという問題がある。【０００９】  また、特開２００８−２４０２１４号公報の構造では、ダクトと衣服の生地の外側を通過した空気は、衣服の生地の内側の吹出口から、流れる方向を変えずに吹き出されるため、ポケットファンに適用出来ないという問題がある。【００１０】  本発明は、上記の従来の課題を解決するものであり、衣服の胸ポケットへの収納状態で、小さい空気抵抗で流入した空気の流れる方向を変えて、空気を流出するポケットファンを提供することを、主な目的としている。
【課題を解決するための手段】
【００１１】  前記の課題を解決するために、本発明は、衣服の胸ポケットに収納可能な筐体と、筐体が有する第１の筐体部に設けられた空気流出部と、空気流出部と隣接する第２の筐体部に設けられた第１空気流入部と、第２の筐体部の側に設けられ、空気流出部と同じ側面または空気流出部と異なる側面から空気を流入する第２空気流入部を有するダクトと、主として第２空気流入部から空気を流入し第１空気流入部を経由して空気流出部から空気を流出する羽根車と、羽根車を回転させるモータと、モータ用の電源部と、を備えている。【００１２】  また、本発明は、空気流出部と離れた側の第２空気流入部の近傍に、衣服の胸ポケットの端部を係止可能なクリップを設けている。【００１３】  また、本発明は、羽根車が、第２の筐体部に固定された前記モータで回転する軸流ファンから構成されている。【００１４】  また、本発明は、羽根車が、第２の筐体部の反対側の筐体部に固定されたモータで回転する遠心ファンまたはシロッコファンから構成されている。【００１５】  また、本発明は、モータの回転を制御し、回転方向も切り替える第１制御部と、第１制御部に切替指令を出力するか、または、単独でモータの回転方向を切り替える第１回転方向切替スイッチを、前記筐体が有する１つの筐体部に設けている。【００１６】  また、本発明は、ダクトが第２の筐体部から離間可能なように、第２空気流入部の反対側の前記ダクトと筐体と、を回転自在に支持する回転支持部を設けている。【００１７】  また、本発明は、モータが回転中に、モータの回転を制御し、回転方向も切り替え、モータの回転方向も、所定の時間で切り替える第２制御部と、第２制御部に切替指令を出力する第２回転方向切替スイッチと、を設けている。
【発明の効果】
【００１８】  本出願に係る発明のうち、請求項１に記載の発明は、衣服の胸ポケットにポケットファンを収納した際、衣服の胸ポケットの布部前面とダクトとの間の隙間がなくても、ダクトの第２空気流入部から低抵抗で流入した空気は、モータで回転する羽根車の機能で、空気流出部から流出した空気を、使用者の顔や首や胸元に送風することが出来る。第２空気流入部が空気流出部と同じ側面から空気を流入する構成より、空気流出部と異なる側面から空気を流入する構成の方が、空気流出部から流出する空気を第２空気流入部から流入する比率を小さくすることが出来る。【００１９】  また、本出願に係る発明のうち、請求項２に記載の発明は、衣服の胸ポケットの奥行きが深くても、ポケットファンを胸ポケットに収納した際、クリップが衣服の胸ポケットの端部を係止することで、ダクトの第２空気流入部が胸ポケットの布部前面に隠れることがないため、空気を第２空気流入部から流入することが出来る。【００２０】  また、本出願に係る発明のうち、請求項３に記載の発明は、羽根車が軸流ファンから構成され、軸流ファンの空気流出部分に空間があるため、第１空気流入部から流入した空気は、軸流ファンの空気流出部分の空間の機能で方向が変更され、空気流出部から流出することが出来る。【００２１】  また、本出願に係る発明のうち、請求項４に記載の発明は、羽根車が遠心ファンまたはシロッコファンから構成され、遠心ファンまたはシロッコファンの空気流入部分に空間があるため、第１空気流入部から流入した空気は遠心ファンまたはシロッコファンの機能で方向が変更され、空気流出部から流出することが出来る。軸流ファンより遠心ファンまたはシロッコファン方が、空気流出部から流出する空気量を大きくすることが出来る。【００２２】  また、本出願に係る発明のうち、請求項５に記載の発明は、モータの回転方向を切り替える第１回転方向切替スイッチが設けられているため、衣服の胸ポケットが左右のどちらにあっても、空気流出部から流出した空気を、使用者の顔や首や胸元に送風することが出来る。【００２３】  また、本出願に係る発明のうち、請求項６に記載の発明は、回転支持部を中心として、ダクトを第２の筐体部から離すように所定の角度まで回転させて、机上にダクトを載置すれば、使用者が椅子に腰掛けた状態で、空気流出部から流出した空気を、使用者の顔や胸元に送風することが出来る。【００２４】  また、本出願に係る発明のうち、請求項７に記載の発明は、前記モータの回転方向が、所定の時間で切り替わり、羽根車の回転方向も変化して空気流出部から流出する空気の流出方向が変化するため、空気流出部から流出した空気を、使用者の顔や首や胸元の左右に送風することが出来る。
【図面の簡単な説明】
【００２５】
【図１】第１の実施形態に係るポケットファンの正面図である。
【図２】第１の実施形態に係るポケットファンのＡ−Ａ矢視の使用状態の部分断面側面図である。
【図３】第１の実施形態に係るポケットファンの図１と異なる使用状態の正面図である。
【図４】第１の実施形態に係るポケットファンのブロック線図である。
【図５】第２の実施形態に係るポケットファンの正面図である。
【図６】第２の実施形態に係るポケットファンのＢ−Ｂ矢視の使用状態の部分断面側面図である。
【図７】第３の実施形態に係るポケットファンの使用状態の部分断面側面図である。
【図８】第４の実施形態に係るポケットファンの使用状態の部分断面側面図である。
【図９】第５の実施形態に係るポケットファンの部分断面側面図である。
【図１０】第５の実施形態に係るポケットファンの使用状態の側面図である。
【図１１】第５の実施形態に係るポケットファンのブロック線図である。
【発明を実施するための形態】
【００２６】  以下、本発明の実施の形態について説明する。
【００２７】  （第１の実施形態）
図１は、第１の実施形態に係るポケットファンの正面図である。図２は、第１の実施形態に係るポケットファンのＡ−Ａ矢視の使用状態の部分断面側面図である。図３は、第１の実施形態に係るポケットファンの図１と異なる使用状態の正面図である。図４は、第１の実施形態に係るポケットファンのブロック線図である。
【００２８】  本発明の第１の実施形態を、図１と図２と図３と図４に基づいて説明する。図１と図２と図３と図４に示すように、ポケットファン１は衣服の胸ポケット２に収納可能な筐体３と、筐体３が有する１つの筐体部３ａに設けられた空気流出部４と、空気流出部４と隣接する１つの筐体部３ｂに設けられた第１空気流入部５ａと、筐体部３ｂの側に設けられ、空気流出部４と同じ側面６ａから、空気７を流入する第２空気流入部５ｂを有するダクト８と、第２空気流入部５ｂまたは第１空気流入部５ａと第２空気流入部５ｂから空気７を流入し第１空気流入部５ａを経由して空気流出部４から空気７を流出する羽根車としての軸流ファン９ａと、軸流ファン９ａを回転させるアウターロータ型のブラシレスモータ１０と、ブラシレスモータ１０用の電源部としてのリチウムイオン２次電池１１から、構成されている。ブラシレスモータ１０は筐体部３ｂに固定され、軸流ファン９ａはブラシレスモータ１０のロータ１０ａに固定されている。
【００２９】  空気流出部４と離れた側の第２空気流入部５ｂの近傍に、衣服の胸ポケット２の布部前面２ａの端部２ｂを係止可能なクリップ１２が設けられ、図示しない使用者が、衣服の左側の胸ポケット２にポケットファン１を収納する際、衣服の胸ポケット２の布部前面２ａの端部２ｂをクリップ１２で固定する。
【００３０】  図示しない使用者が、ポケットファン１の筐体３の１つの筐体部３ｃに設けたオンオフスイッチ１３を操作すると、ブラシレスモータ１０に電気的に接続されたＭＯＦＥＴなどから構成された駆動回路１４は、リチウムイオン２次電池１１から電力を供給されて、第１制御部１４ａの機能で、オンオフスイッチ１３と反対側の筐体３の１つの筐体部３ｄに設けられた速度設定用ダイヤル１５で設定された速度で回転するように、ブラシレスモータ１０に電力を供給する。ポケットファン１を衣服の左側の胸ポケット２に収納する場合は、ブラシレスモータ１０が図１の面から見て反時計方向に回転するように、図示しない使用者は、オンオフスイッチ１３と同じ筐体部３ｃに設けられた第１回転方向切替スイッチ１６ａを操作する。第１回転方向切替スイッチ１６ａは、ブラシレスモータ１０の回転を制御し、回転方向も切り替える機能も有する第１制御部１４ａに、切替指令を出力する機能を有する。また、第１回転方向切替スイッチ１６ａ単独で、ブラシレスモータ１０の回転方向を切り替えても良い。
【００３１】  ダクト８の第２空気流入部５ｂまたは第１空気流入部５ａと第２空気流入部５ｂから流入した空気７は、ダクト８内から第１空気流入部５ａを通過し、軸流ファン９ａから流出して、軸流ファン９ａの空気流出部分の空間１７ａで方向が変更され、図１と図２と図３の矢印のように空気流出部４から流出した空気７は、図示しない使用者の顔や首や胸元に送風される。また、図示しない使用者が、ポケットファン１を衣服の右側の胸ポケットに収納する場合は、ブラシレスモータ１０が図３の面から見て時計方向に回転するように、第１回転方向切替スイッチ１６ａを操作する。
【００３２】  リチウムイオン２次電池１１の充電は、図示しないＡＣアダプタからポケットファン１のコネクタＣＮに供給しても良く、図示しないパソコンのＵＳＢコネクタからポケットファン１のコネクタＣＮに供給しても良い。また、エネループ（登録商標）などのポケットファンの外部で充電出来る２次電池を使用しても良い。また、２次電池より安価なアルカリ乾電池のような１次電池を使用しても良い。
【００３３】  前記実施形態にて説明した構造から導かれる作用効果は、以下の他の実施形態における同様の構造からも導かれる。
【００３４】  （第２の実施形態）
図５は、第２の実施形態に係るポケットファンの正面図である。図６は、第２の実施形態に係るポケットファンのＢ−Ｂ矢視の使用状態の部分断面側面図である。第１の実施形態に係るポケットファン１では、第２空気流入部５ｂは空気流出部４と同じ側面６ａから空気７を流入するダクト８に設けられているのに対し（図２参照）、第２の実施形態に係るポケットファン１では、第２空気流入部５ｂは空気流出部４と異なる側面６ｂから空気７を流入するダクト８に設けられている。他の構造は第１の実施形態に係るポケットファン１と同様であり、同符号を付して説明する。
【００３５】  本発明の第２の実施形態を、図５と図６に基づいて説明する。図５と図６に示すように、ポケットファン１は衣服の胸ポケット２に収納可能な筐体３と、筐体部３ａに設けられた空気流出部４と、空気流出部４と隣接する筐体部３ｂに、設けられた第１空気流入部５ａと、筐体部３ｂの側に設けられ、空気流出部４と異なる側面６ｂから空気７を流入する第２空気流入部５ｂを有するダクト８と、第２空気流入部５ｂから空気７を流入し第１空気流入部５ａを経由して空気流出部４から空気７を流出する軸流ファン９ａと、軸流ファン９ａを回転させるブラシレスモータ１０と、ブラシレスモータ１０用のリチウムイオン２次電池１１から構成されている。ブラシレスモータ１０は筐体部３ｂに固定され、軸流ファン９ａはブラシレスモータ１０のロータ１０ａに固定されている。
【００３６】  空気流出部４と離れた側の第２空気流入部５ｂの近傍に、衣服の胸ポケット２の布部前面２ａの端部２ｂを係止可能なクリップ１２が設けられ、図示しない使用者が、衣服の左側の胸ポケット２にポケットファン１を収納する際、衣服の胸ポケット２の布部前面２ａの端部２ｂをクリップ１２で固定する。
【００３７】  図示しない使用者が、ポケットファン１の筐体３の１つの筐体部３ｃに設けたオンオフスイッチ１３を操作すると、ブラシレスモータ１０に電気的に接続されたＭＯＦＥＴなどから構成された駆動回路１４は、リチウムイオン２次電池１１から電力を供給されて、第１制御部１４ａの機能で、オンオフスイッチ１３と反対側の筐体３の１つの筐体部３ｄに設けられた速度設定用ダイヤル１５で設定された速度で回転するように、ブラシレスモータ１０に電力を供給する。ポケットファン１を衣服の左側の胸ポケット２に収納する場合は、ブラシレスモータ１０が図１の面から見て反時計方向に回転するように、図示しない使用者は、オンオフスイッチ１３と同じ筐体部３ｃに設けられた第１回転方向切替スイッチ１６ａを操作する。第１回転方向切替スイッチ１６ａは、ブラシレスモータ１０の回転を制御し、回転方向も切り替える機能も有する第１制御部１４ａに、切替指令を出力する機能を有する。
【００３８】  ダクト８の第２空気流入部５ｂから流入した空気７は、ダクト８内から第１空気流入部５ａを通過し、軸流ファン９ａの機能で、図５と図６の矢印のように空気流出部４から流出した空気７は、図示しない使用者の顔や首や胸元に送風される。
【００３９】  前記実施形態にて説明した構造から導かれる作用効果は、以下の他の実施形態における同様の構造からも導かれる。
【００４０】  （第３の実施形態）
図７は、第３の実施形態に係るポケットファンの使用状態の部分断面側面図である。第１の実施形態と第２の実施形態に係るポケットファン１では、ブラシレスモータ１０は、筐体部３ｂに固定され、軸流ファン９ａがブラシレスモータ１０のロータ１０ａに、固定されているのに対し（図２、図６参照）、第３の実施形態に係るポケットファン１では、ブラシレスモータ１０は筐体部３ｂと反対側の筐体３の１つの筐体部３ｅに固定され、遠心ファンまたはシロッコファン９ｂがブラシレスモータ１０のロータ１０ａに固定されている。他の構造は第１の実施形態に係るポケットファン１と同様であり、同符号を付して説明する。
【００４１】  ダクト８の第２空気流入部５ｂから流入した空気７は、ダクト８内から第１空気流入部５ａを通過し、空気流入部分の空間１７ｂに流入して、遠心ファンまたはシロッコファン９ｂの機能で方向が変更され、空気流出部４から流出する。軸流ファン９ａより遠心ファンまたはシロッコファン９ｂ方が、空気流出部４から流出する空気量を大きくすることが出来る。また、空気流出部４から流出した空気７の一部の空気７ａは、波線矢印のように第２空気流入部５ｂから、再度流入する。
【００４２】  前記実施形態にて説明した構造から導かれる作用効果は、以下の他の実施形態における同様の構造からも導かれる。
【００４３】  （第４の実施形態）
図８は、第４の実施形態に係るポケットファンの使用状態の部分断面側面図である。第３の実施形態に係るポケットファン１では、第２空気流入部５ｂは空気流出部４と同じ側面６ａから空気７を流入するダクト８に設けられているのに対し（図７参照）、第４の実施形態に係るポケットファン１では、第２空気流入部５ｂは空気流出部４と異なる側面６ｂから空気７を流入するダクト８に設けられている。他の構造は第３の実施形態に係るポケットファン１と同様であり、同符号を付して説明する。
【００４４】  ダクト８の第２空気流入部５ｂから流入した空気７は、ダクト８内から第１空気流入部５ａを通過し、空気流入部分の空間１７ｂに流入して、遠心ファンまたはシロッコファン９ｂの機能で方向が変更され、空気流出部４から流出する。軸流ファン９ａより遠心ファンまたはシロッコファン９ｂの方が、空気流出部４から流出する空気量を大きくすることが出来る。第２空気流入部５ｂが空気流出部４と同じ側面６ａから空気を流入する構成より、空気流出部４と異なる側面６ｂから空気７を流入する構成の方が、空気流出部４から流出する空気７を空気流入部５ｂから再度流入する空気７ａの比率を小さくすることが出来る。
【００４５】  前記実施形態にて説明した構造から導かれる作用効果は、以下の他の実施形態における同様の構造からも導かれる。
【００４６】  （第５の実施形態）
図９は、第５の実施形態に係るポケットファンの部分断面側面図である。図１０は、第５の実施形態に係るポケットファンの使用状態の側面図である。図１１は、第５の実施形態に係るポケットファンのブロック線図である。第１の実施形態と第２の実施形態と第３の実施形態と第４の実施形態に係るポケットファン１では、図示しない使用者が、ポケットファン１を衣服のポケット２に収納して使用したのに対し（図１、図２、図３、図４、図５、図６、図７、図８参照）、第５の実施形態に係るポケットファン１では、ポケットファン１を衣服のポケット２に収納して使用するのに加えて、図示しない使用者が、椅子に腰掛けた状態でポケットファン１を机上１８に載置して使用する。他の構造は第１の実施形態と第２の実施形態と第３の実施形態と第４の実施形態に係るポケットファン１と同様であり、同符号を付して説明する。
【００４７】  ダクト８が筐体部３ｂから離間可能なように、第２空気流入部５ｂの反対側のダクト８と筐体３とを回転自在に支持する回転支持部１９を設けている。図示しないブラシレスモータが回転中に、ブラシレスモータの回転方向を所定の時間で切り替える第２制御部１４ｂと、第２制御部１４ｂに切替指令を出力する第２回転方向切替スイッチ１６ｂと、を設けている。
【００４８】  図８のポケットファン１として使用する場合から、図９の机上１８で使用する場合は、回転支持部１９を中心として、ダクト８を筐体部３ｂから離すように所定の角度まで回転させて、ポケットファン１を机上１８に載置し、空気流出部４から流出した空気７を、図示しない使用者の顔や首や胸元に送風する。
【００４９】  第２回転方向切替スイッチ１６ｂを操作すると、第１回転方向切替スイッチ１６ａの操作状態に関係なく、第２制御部１４ｂのタイマ１４ｃの機能で、図示しないブラシレスモータの回転方向が所定の時間で切り替わり、軸流ファン９ａ（図２、図６参照）または遠心ファンまたはシロッコファン９ｂ（図７、図８参照）の回転方向も変化して空気流出部４から流出する空気７の流出方向が変化するため、空気流出部４から流出した空気７を、図示しない使用者の顔や首や胸元の左右に送風することが出来る。
【００５０】  なお、前記した実施形態は、あくまでも本発明の１態様を示すものであり、本発明の範囲内で任意に変形および応用が可能である。例えば、本実施形態では、ブラシレスモータ１０で羽根車を回転させる構成としたが、薄型の（ブラシ付き）ＤＣモータを使用しても良い。また、第１回転方向切替スイッチ１６ａの操作で空気流出部４から流出する空気７の方向を変化させる構成としたが、空気流出部４にルーバーを設けても良い。また、速度設定用ダイヤル１５で無段階に連続して風量調整を行える構成としたが、この調整が無いか、または、２以上の複数段であっても良い。
【００５１】  さらに、温度や湿度を検知して、自動的に羽根車の始動、停止、風量調整を行うものであっても良い。
【産業上の利用可能性】
【００５２】  本発明は、羽根車が筐体内部に設けられているため、ポケットファン兼用の机上に載置する超小型ファンの用途に限定されることなく広く利用することが出来る。
【符号の説明】
【００５３】  １  ポケットファン
２  衣服の胸ポケット
２ａ  布部前面
２ｂ  端部
３  筐体
３ａ、３ｂ、３ｃ、３ｄ、３ｅ  筐体部
４  空気流出部
５ａ  第１空気流入部
５ｂ  第２空気流入部
６ａ  同じ側面
６ｂ  異なる側面
７、７ａ  空気
８  ダクト
９ａ  軸流ファン
９ｂ  遠心ファンまたはシロッコファン
１０  ブラシレスモータ
１０ａ  ロータ
１１  リチウムイオン２次電池
１２  クリップ
１３  オンオフスイッチ
１４  駆動回路
１４ａ  第１制御部
１４ｂ  第２制御部
１４ｃ  タイマ
１５  速度設定用ダイヤル
１６ａ  第１回転方向切替スイッチ
１６ｂ  第２回転方向切替スイッチ
１７ａ  空気流出部分の空間
１７ｂ  空気流入部分の空間
１８  机上
１９  回転支持部
ＣＮ  コネクタ
【図１】
2013011263.tif 000003
【図２】
2013011263.tif 000004
【図３】
2013011263.tif 000005
【図４】
2013011263.tif 000006
【図５】
2013011263.tif 000007
【図６】
2013011263.tif 000008
【図７】
2013011263.tif 000009
【図８】
2013011263.tif 000010
【図９】
2013011263.tif 000011
【図１０】
2013011263.tif 000012
【図１１】
2013011263.tif 000013